(57)【要約】      （修正有）【課題】安全に安心して高所作業をする為に、細心の注意と手間暇が係らない脚立兼用梯子の提供。【解決手段】バランス調整器１付脚立＆マルチ梯子で、主に、バランスキャップ１と支軸支柱２と支え支柱３と踏みざん３７と開き止め金具２５と滑り止めキャップ３５と支柱スライド用盤７とＬ型固定具１８とのぶボルトと支柱受けナット盤とナット付ストッパー盤とＬ型支え手３２とＬ型支え手３２の先端爪４９と滑り止めバンド３３等の組み合わせによって構成された脚立兼用梯子。【選択図】図８
2019210788.tif 000002
【特許請求の範囲】
【請求項１】
本発明に係る脚立＆マルチ梯子は、脚立兼用梯子で有って、２つ折にして脚立として使用でき、且つ、両支柱を約１８０度展開し伸ばす事により梯子と成る脚立＆マルチ梯子に於いて、梯子として使用するに際して設地側と成る脚部の少なくともいずれか一方の脚部にバランス調整器を設けると共に、接地側とは反対側と成る先端近傍部に少なくともＬ型支え手先端部の爪、又は柔軟性を有する材質より成る滑り止めバンドのいずれか一方を設けた事を特徴とする、バランス調整器付脚立＆マルチ梯子。
【請求項２】
本発明に係る脚立＆マルチ梯子は、脚立兼用梯子で有って、２つ折にして脚立として使用でき、且つ、両支柱を約１８０度展開し伸ばす事により梯子と成る脚立＆マルチ梯子に於いて、脚立として使用するに際して接地側と成る脚部の少なくともいずれか一方の脚部にバランス調整器を設ける物であり、支軸支柱の先端近傍部を抱合状態に成る、支柱スライド用盤の背部をＬ型固定具により締め付け固定する事で、脚立の形態と成る物であり、梯子形態において、梯子の長さは伸縮自在と成り、支柱スライド盤は、支え支柱と共にスライド運動する物であり、長さ設定位置を決定した時点で接合状態に成る両支柱を、Ｌ型固定具により締め付け固定する事で梯子の長さは決るものである、バランス調整器と支柱スライド用盤とＬ型固定具を設けた事を特徴とする、バランス調整器付脚立＆マルチ梯子。
【請求項３】
請求項２記載のバランス調整器付脚立＆マルチ梯子に於いて、梯子として使用するに際して接地側と反対側の先端近傍に少なくとも請求項１記載のＬ型支え手の先端部の爪又は滑り止めバンドのいずれか一方を設けたことを特徴とする、バランス調整器付脚立＆マルチ梯子。
【発明の詳細な説明】
【技術分野】
【０００１】  この発明は、脚立の支軸支柱の下端部にバランス調整器を取付けて成り、又、脚立の両支柱を約１８０度に開き、組み合わせて梯子と成る。バランス調整器付脚立＆マルチ梯子に関する物である。
【背景技術】
【０００２】従来、脚立兼用はしごでは、脚立の両支柱を約１８０度に開き支柱先端に成る、両天板を合体させる事により、梯子と成る形態の物や、支柱同士を組み合わせて伸縮自在の梯子等が在る、又、４本脚をそれぞれ上下させる脚調整装置の脚立や、伸縮構造付き脚立等、形態については、昔ながらの単純で改良に乏しく、安全性や機能性に付いて、使用者に対しての配慮が欠けている物である。【０００３】  前記、脚立に於ける高所作業では、設置面が不安定で凸凹地面上の場合、脚立に横ブレが生じる物であり、水平を保ちガタつきを止める為には、板切れを噛ませる等、脚立の安定を確保する為には、非常に手間暇が係る物である、軒下等で、狭い場所での作業は、両脚を狭くする為、不安定状態と成り危険が伴う物であり、又、脚立に成る両支柱を開いて両天板を合体させて、はしご形態とした場合、中央部が弱く負荷が掛かると撓み易く、上る際、揺れが生じ不安定状態と成る物であり、又、支柱幅は、中央部が狭く、先端部が広い形態と成っている為、木の伐採時等は、支柱先端幅が障害と成り作業が困難と成る物である。又、支柱先端が広く重い形態と成っている為肉体的に負担が係る物である。又、角張った建物や電柱面に掛かる接触面が滑り易く、バランスが取り難く、はしごは不安定状態と成る物であり、又、長さ調節が出来ない為、使用場所は制限される物である、従来、脚立兼用はしごを利用しての高所作業は、安全面や利便性に問題点がある物である。
【発明の概要】
【発明が解決しようとする課題】
【０００４】従来の、脚立兼用はしごに於いて、脚立の形態の問題点は、二枚の天板に成る間が広く、又、それぞれの脚の長さが同じに作成されている為、建物と塀の間等、狭い場所での使用は、不安定状態と成る物であり、又、野外の凸凹地面上等では、横ブレやガタつきが生じ安く、安定させる為には、手間暇が係る物である、又、はしごの形態の問題点は、左右の支柱先端幅が広い形態と成っている為、木の伐採時等は、障害と成る物である、
又、支柱先端幅が広い分だけ先端に沿って重い構造に作られている為、持ち上げる際肉体的に負担が係るものである、又、長さ調節が出来ない為、使用場所が制限される物である、又、支柱中央に成る結合部付近の支柱幅が狭く負荷が掛かると撓み安く不安定状態と成る物であり、又、角張った建物や電柱に対しては、先端に掛かる踏みざんとの接触面が滑り安く、不安定状態と成りバランスが取り難く危険が伴うものであり、依って、安全を確保するためには補助者の手助け等が必須である。いずれにしても高所作業時の安定状態を確保する為には、非常に手間暇が係ることが従来の問題点で有った。
【課題を解決するための手段】
【０００５】本発明の第一に係る脚立＆マルチ梯子は、脚立兼用梯子で有って、２つ折にして脚立として使用でき、且つ、両支柱を約１８０度展開し伸ばす事により梯子と成る脚立＆マルチ梯子に於いて、梯子として使用するに際して設地側と成る脚部の少なくともいずれか一方の脚部にバランス調整器を設けると共に、接地側とは反対側と成る先端近傍部に少なくともＬ型支え手先端部の爪、又は柔軟性を有する材質より成る滑り止めバンドのいずれか一方を設けた事を特徴とする、バランス調整器付脚立＆マルチ梯子。【０００６】本発明の第二に係る脚立＆マルチ梯子は、脚立兼用梯子で有って、２つ折にして脚立として使用でき、且つ、両支柱を約１８０度展開し伸ばす事により梯子と成る脚立＆マルチ梯子に於いて、脚立として使用するに際して接地側と成る脚部の少なくともいずれか一方の脚部にバランス調整器を設ける物であり、支軸支柱の先端近傍部を抱合状態に成る、支柱スライド用盤の背部をＬ型固定具で締め付け固定する事で、脚立の形態と成る物であり、梯子形態においては、長さは伸縮自在と成り、支柱スライド盤は、支え支柱と共にスライド運動する物であり、長さ設定位置を決定した時点で重なり合っている両支柱を、Ｌ型固定具により締め付け固定する事で梯子の長さは容易に決るものである、バランス調整器と支柱スライド用盤とＬ型固定具を設けた事を特徴とする、バランス調整器付脚立＆マルチ梯子。【０００７】第二記載のバランス調整器付脚立＆マルチ梯子に於いて、梯子として使用するに際して接地側と反対側の先端近傍に少なくとも、第一記載のＬ型支え手の先端部の爪又は滑り止めバンドのいずれか一方を設けたことを特徴とする、バランス調整器付脚立＆マルチ梯子。【０００８】次に、解決する為の手段を詳細に説明する、本発明に用いられるバランス調整器は、例えば、出願人が発明した器具「（特許第６１８２６９９号）記載・以下、バランスキャプ」と、いうような器具である。【０００９】  その構成と役割は、バランスキャップを脚立の正面から右側に位置される、主軸支柱下端に装着して、下端部に設けて成る基軸孔を介して上下にスライド運動するものであり、脚立及び梯子のバランスを保つ為の重要な役割をする物である、脚立の両支柱を約１８０度に開き、組み合わせ一体と成り伸縮自在の梯子と成る物である。【００１０】  バランス調整器付脚立＆マルチ梯子に於ける構成は、主に、主軸支柱と支え支柱と踏ざんと開き止め金具と滑り止めキャップと支柱スライド用盤とＬ型固定具とのぶボルトとナット付ストッパー盤とＬ型支え手とＬ型支え手先端部の爪と滑り止めバンドから成り、それらの部品の組み合わせに依って、それぞれの役割が成立するものである。【００１１】  脚立の構成と機能については、バランスキャップを脚立の主軸支柱一方の下端に装着する、次に、支え支柱の先端部に設けて成る基軸孔を介して、支柱スライド用盤を取付ける物であり、その支柱スライド用盤は、支軸支柱部を抱合し合体する重要な役割をする物で在る、合体する事により主軸支柱先端近傍と支え支柱先端とが接合し密着状態と成る物である、主軸支柱の先端から約２０ｃｍに位置する基点にナット付ストッパー盤を設けて成り、この側面位置に支柱スライド用盤をセットする事により、支軸支柱と支え支柱とが互いに接合状態と成る物である、支軸支柱の先端から約１０ｃｍ下の位置に設けて成る基軸孔を介して、Ｌ型固定具はセットする物であり、Ｌ型固定具は、ナット付ストッパー盤に密着状態に有る、支柱スライド用盤の背面を押さえて仮止め状態を創るものである、支柱スライド用盤の背面上部二箇所に貫通孔を設けて成り、その孔に合わせて、Ｌ型固定具の先端部に設けて成る２本の角を差し込み、Ｌ型固定具に設けて成るのぶボルトで締め付け固定する物である、依って、支軸支柱近傍部と支え支柱先端は支柱スライド用盤を介して接合し密着状態と成る物である、支え支柱の先端から約２６ｃｍ位置に、開き止め金具を備えて成り、併せて、支軸支柱の先端から約５０ｃｍ下の位置に設けて成る孔にセットする物である、脚立の開き角度を約３０度に設定する事により、安定した脚立の形態と成る物である。【００１２】  脚立に成るセット状態を解除し両支柱を約１８０度に開き、両支柱を組み合わせ一体とする事により梯子の形態と成る物であり、支え支柱はナット付ストッパー盤の内側軌道を支軸支柱面に沿って上下スライド運動する物であり、支柱スライド用盤も同時に、スライド運動する物である、又、梯子の長さは支え支柱に成る踏みざん位置を基準とする物であり踏みざん上部約５ｃｍに成る支柱位置毎に、直径約４ｍｍの２個の孔を設けて成り、この位置に併せて支軸支柱部にも孔を設けて成る物である、梯子の長さ調整は、Ｌ型固定具の腹部２ヶ所に設けて成る角の働きによって決まるものである、後部に成る２個の角は、支軸支柱部にセットする事により、スライド運動の停止状態を確保する物であり、同時に、中央部に成る２個の角は、支え支柱部にセットする事により、スライド運動が止まり、互いの支柱は仮止め状態と成る物である、Ｌ型固定具に成るのぶボルトは、支え支柱部の内側に設けて成る支柱受けナット盤に挿入し締め付ける事でスライド運動が止まり、梯子の長さの固定及び調整は容易に確保される物である。【００１３】Ｌ型固定具は、支軸支柱先端近傍に設けて成る基軸孔を介して成る、稼働ボルトによってセットされる物であり、稼働ボルトには、スプリングが設けて成り、その働きによってＬ型固定具の仮止め状態を保ち、回転運動が円滑に成る物である、又、電柱や角張った建物にも対応出来る様に、支え支柱先端から約２０ｃｍ位置にＬ型支え手を設けて成り、このＬ型支え手先端部に柔軟性を有する材質の滑り止めバンドを設けて成り、梯子に登る際、負荷が掛かる事により、バンドが弛み接触面に巻き付き、同時に支柱先端部に位置する踏ざんが当たる事により、掛かる負荷を２箇所で受け止める事により、梯子のバランスは二重に確保される物である。【００１４】  Ｌ型支え手は、支柱先端に掛かる接触面より下の位置にセットして有る物で、掛かる接点が下に成る事により、梯子の先端と二箇所で掛かる負荷を受け止める為、安定が二重に確保される物であり、依って、梯子の撓みや揺れを最小に抑えられる物である、又、Ｌ型支え手の、先端約６ｃｍ位置に爪を設けて成り、接触面に掛かる梯子のずれ落ちを防止する働きをする物である、梯子の伸縮の長さ調整は、支え支柱に位置する、踏ざんとの間隔毎��成り、主軸支柱に設けて成るＬ型固定具の調整操作によって可能と成る物である、脚立の取扱いに於いて、Ｌ型支え手と滑り止めバンドは、支軸支柱両脚の内側に位置する為、作業中や収納時に於いては、全く支障無いものである、又、支軸支柱下端部の踏みざん付近より、支柱下端に向かって末広型と成る物であり、依って、脚立及び梯子の安定したバランスが確保される物であり、又、それぞれのサイズ構成等については、用途に応じて、変更される物である。
以上、バランス調整器付脚立＆マルチ梯子の安全性や機能性は証明される物である。
【発明の効果】
【００１５】  上述したように、本発明のバランス調整器付脚立＆マルチ梯子に於いては、バランスキャップを脚立に成る主軸支柱のいずれか一方の下端部に装着する物であり、その働きは、脚立に成る接地面が凸凹地面上で有って、脚立に生じる横ブレやガタつき等は、バランスキャップの働きにより容易に解消する物であり、又、脚立にセットされて成る、支柱スライド用盤を基軸にして、両支柱を約１８０度に開き組み合わせ一体の形体にする事により、伸縮自在の梯子と成る物であり、梯子を最長にした際、支柱中央部の重なり合う長さは、約６０ｃｍ以上と成る物であり、梯子の長さが短くなる事により、支柱中央部の重なりは長く成る物である、又、梯子の中央部に負荷が掛かっても両支柱の重なりにより、撓みや揺れは最小限と成る物である、又、高所壁面に掛かる梯子先端より、支柱先端近傍に成る、Ｌ型支え手は下の位置に設けて成り、負荷が掛かる事により、梯子先端とＬ型支え手が同時に壁面に接触する物であり、２箇所で負荷を受け止める為、梯子の安定性は向上する物である、又、伐採作業時に、負荷による枝の撓みや揺れに依って生じる、梯子のズレや滑りは、Ｌ型支え手に設けて成るＬ型支え手先端部の爪の働きによって、容易に防止することが出来る物である、又、電柱や角張った建物に対しても、Ｌ型支え手に設けて成る滑り止めバンドに依って、掛かる接触面を覆う事により、左右に成る傾きや滑りが抑えられる為、容易にバランスが確保され、安心して高所作業が出来る物である、又、支軸支柱下端部の長さは、支え支柱下端部より約１０ｃｍ長く作成して成る物であり、脚立の開き角度が約３０度の設定で有っても、脚立の支軸支柱に係る傾斜値が、従来の基準値より緩やかな状態と成る為、作業時には、容易に登り下りが出来るものである、又、脚立をたたんだ状態では、前後の脚が揃わない事により、狭い場所で有っても、脚立の形状で、容易に活用出来る物である、又、梯子の長さ調整は、支え支柱に成る、踏みざんの段数が基準と成る物であり製作時に、用途に応じて、その長さは決める物である、依ってバランス調整器付脚立＆マルチ梯子は、接地面が凸凹で不安定な場所で有っても、安心して安全な然も効率の良い、高所作業が確保されるものであり、その効果と利便性は、容易に発揮することが出来る物である。
【図面の簡単な説明】
【００１６】
【図１】  本発明の実施形態を示すバランス調整器付脚立＆マルチ梯子の分解斜視図である
【図２】  支柱スライド用盤、本発明の正面図である
【図３】  同じく、本発明の背面図である
【図４】  同じく、本発明の断面図である
【図５】  同じく、本発明の斜面図である
【図６】  主軸支柱と支え支柱に支柱スライド用盤をセットし、次に、Ｌ型固定具により固定状態に成る、本発明の断面図である
【図７】  同じく、本発明の斜面図である
【図８】  脚立、本発明の実写図である
【図９】  Ｌ型固定具、本発明の正面図である
【図１０】  同じく、本発明の背面図である
【図１１】  同じく、本発明の断面図である
【図１２】  同じく、本発明の斜面図である
【図１３】  主軸支柱と支え支柱にＬ型固定具をセット状態に成る、本発明の断面図である
【図１４】  同じく、本発明の斜面図である
【図１５】  梯子、本発明の実写図である
【発明を実施する為の形態】
【００１７】以下、本発明に係るバランス調整器付脚立＆マルチ梯子の実施形態を図１〜図１５に基づいて説明する。
【００１８】図８、本発明に係るバランス調整器付脚立＆マルチ梯子は図８で示すように、主としてアルミニュウム製の４本脚から構成される脚立兼用梯子の器具である。
【００１９】このバランス調整器付脚立＆マルチ梯子は、図１に示すように、主軸支柱２と支え支柱３と踏みざん３７と開き止め金具２５と滑り止めキャップ３５と支柱スライド用盤７とＬ型固定具１８とのぶボルト２３とナット付ストッパー盤１４とＬ型支え手３２とＬ型支え手先端部の爪４９と滑り止めバンド３３から構成される物である。
【００２０】バランスキャップ１は、操作の観点上、主軸支柱２右側の支柱下端位置に設けて成る物である、
【００２１】図８で示すように、脚立５０の安定を保つ為に、主軸支柱２の下端部踏みざん３７位置から脚に向かって幅広く作成されている物である。
【００２２】図１、図８、脚立５０の形態に於いては、支え支柱３の先端近傍に設けて成る基軸孔４を介して、支柱スライド用盤７を支え支柱３の先端部に取付ける物である、図６、支柱スライド用盤７には、支軸支柱側面支え手４２と支軸支柱側面支えＬ型淵４３を設けて成り、支軸支柱部２を抱合しスライド運動が円滑に行われるように、支軸支柱面との接触ギャップは約１ｍｍとする物であり、共に、支軸支柱２と支え支社３が接合し互いに密着状態と成る物である、又、図６、支柱スライド用盤７に取り付けて成る、厚さ１ｍｍの大ワッシャ８は、支軸支柱２と支柱スライド用盤７の間に接触ギャップを作り、スライド運動を円滑にする為の働きをする物である。
【００２３】図１５、主軸支柱２の先端から約２０ｃｍに位置する基点にナット付ストッパー盤１４を設けて成り、図８、支柱スライド用盤７は、ナット付ストッパー盤１４の側面に密着した位置が、脚立５０の理想形態と成る物である。
【００２４】図８、主軸支柱２の先端から約１０ｃｍの位置に設けて成る基軸孔４を介して、Ｌ型固定具１８をセットする物である。
【００２５】図７、ナット付ストッパー盤１４に密着状態に成る支柱スライド用盤７の背面を、Ｌ型固定具１８で抑え仮止め状態とする物であり、図３、支柱スライド用盤７の背面上部２箇所に貫通孔４０を設けて成り、この貫通孔４０に併せて、図１２、Ｌ型固定具１８の先端部に設けて成る２本の角４４を差し込み、図７、支柱スライド用盤７を仮止め状態にして成りＬ型固定具１８の背面に設けて成る、図６、のぶボルト２３をナット付ストッパー盤１４に成るナットに嵌め、その背後を締め付け固定する物である。
【００２６】図８、脚立５０状態に於ける、両支柱の開き角度は約３０度が理想基準とされている物であり、両支柱の開き角度が約３０度の時点で、支え支柱３の先端部に設けて成る密着板１０の先端部は、支軸支柱２淵を覆い密着する事により、支柱スライド用盤７の固定状態を補助する物であり、又、図１５、梯子５１状態に於いては、その密着機能は解除される為  支柱淵には、全く接触しない様に作成されている物である。
【００２７】図８、支え支柱３の先端から約２６ｃｍ位置に、開き止め金具２５を備えて成り、併せて、支軸支柱２の先端から約５０ｃｍ位置に設けて成る孔２７にセットしロックする事により、安定した脚立５０の形態と成る物である。
【００２８】図１５、脚立５０に成る固定状態を解除し、支柱スライド用盤７のセット状態に成るボルト５を基軸として両支柱を約１８０度に開き、両支柱を組み合わせ一体とする事により、梯子５１の形態と成る物であり、支え支柱３は、ナット付ストッパー盤１４の内側に成る軌道を支軸支柱２面に沿って上下にスライド運動する物であり、同時に支柱スライド用盤７も並行してスライド運動するものである。
【００２９】図１５、梯子５１の長さは、支え支柱３に成る踏みざん３７数を基準と成る物であり、踏みざん３７に成る上部約５ｃｍの基点に、縦方向に直径４ｍｍの２個の孔２８を設けて成り、この位置に併せて、支軸支柱部２にも同じ孔３８を設けて成る物であり、又、支軸支柱２の先端位置に目印を設けて成り、支え支柱３に成る踏みざん３７を目印位置に合わせることにより、梯子５１の長さ全長数値が容易に判明する物である。
【００３０】図１４、図１５、梯子５１の長さ調整の設定に当たって、Ｌ型固定具１８腹部には、後部に２個の角４６と中央部に２個の角４５を設けて成り、後部２個の角４６は、支軸支柱部２に設けて成る孔３８に嵌める事によりスライド運動の仮止め状態を作り、同時に、中央部の２個の角４５は、支え支柱部３に設けて成る孔２８に嵌める事によりスライド運動は一時止まる物である。
【００３１】図１３、図１４、Ｌ型固定具１８の背には、のぶボルト２３がセット状態に成り、のぶボルト２３は、支え支柱部３の内側にセットして成る支柱受けナット盤３０の孔２９に挿入し、締め付ける事により両支柱が合体し固定状態と成り、梯子５１の長さ調整操作は容易に確保されるものである。
【００３２】図１３、Ｌ型固定具１８の取り付は、支軸支柱先端近傍部２に設けて成る基軸孔１９を介して、稼働ボルト１６によって締め付けセットされる物であり、稼働ボルト１６には、スプリング２０を設けて成り、常にＬ型固定具１８の仮止め状態を保ち、スプリング２０の働きに依ってその稼働が円滑に成る物である。
【００３３】図１５、電柱や角張った建物にも対応出来る様に、支え支柱３の先端から約２０ｃｍ位置にＬ型支え手３２を設けこの先端部には、滑り止めバンド３３を設けて成るものであり、梯子５１に上る際、負荷が掛かる事により、滑り止めバンド３３が接触面に巻き付き、同時に支柱先端部に位置する踏みざん３７が当たり掛かる負荷を２箇所で受け止める事により、梯子５１は安定しバランスは確保されるものである。
【００３４】図１５、高所壁面作業時の場合、Ｌ型支え手３２は、梯子５１の支柱先端に掛かる接触面より下の位置にセットして成る物であり掛かる接点が下に成ることにより、梯子５１に生じる撓みが軽減する物である、梯子５１の先端に負荷が掛かる事により、Ｌ型支え手３２が壁面に密着する物であり負荷を二箇所で受け止める為、安定が確保されるものである。
【００３５】図１５、屋根工事や伐採作業の際、Ｌ型支え手３２の先端約６ｃｍ位置に支え手先端部の爪４９を設けて成り、支柱接触面に掛かる梯子のずれ落ちを防止する働きをする物である。
【００３６】図８、脚立５０の取扱いに於いては、Ｌ型支え手３２と滑り止めバンド３３は、支軸支柱２脚の内側サイズ巾に作成して成る為収納時や作業中に於いては、全く支障無いものである。
【００３７】図８、支軸支柱２下端部の踏みざん３７付近より、両支柱下端に向かって末広型に作成する事により、脚立５０及び梯子５１は安定し設置時に於けるバランスが確保される物である、バランス調整器付脚立＆マルチ梯子に於いては、用途に応じてサイズや形態等は変更可能と成る物である。
【符号の説明】
【００３８】１    バランスキャップ［バランス調整器具］
２    主軸支柱
３    支え支柱
４    支柱スライド用盤を取付ける為の基軸孔
５    ボルト
６    ワッシャ
７    支柱スライド用盤
８    大ワッシャ
９    支え支柱の補強板
１０  主軸支柱淵に対しての密着板
１１  ワッシャ
１２  スプリング  ワッシャ
１３  ナット
１４  ナット付ストッパー盤
１５  ストッパー盤取付け用の孔
１６  稼働ボルト
１７  ワッシャ
１８  Ｌ型固定具
１９  Ｌ型固定具を取付ける為の基軸孔
２０  スプリング
２１  ワッシャ
２２  ナット
２３  のぶボルト
２４  スプリング  ワッシャ
２５  開き止め金具
２６  開き止め金具の取付け孔
２７  開き止め金具のロック用の孔
２８  Ｌ型固定具中央部の角を挿入する孔
２９  のぶボルトの支柱受けナット盤用の孔
３０  のぶボルトの支柱受けナット盤
３１  Ｌ型支え手の取付け用の孔
３２  Ｌ型支え手
３３  滑り止めバンド
３４  滑り止めバンドの取付け用の孔
３５  滑り止めキャップ
３６  Ｌ型固定具先端部の角を挿入する孔
３７  踏みざん
３８  Ｌ型固定具後部の角を挿入する孔
３９  ボルトの挿入孔
４０  Ｌ型固定具先端角の挿入孔
４１  Ｌ型固定具の先端部との密着羽根
４２  主軸支柱側面支え手
４３  主軸支柱側面支えＬ型淵
４４  Ｌ型固定具先端部の角
４５  Ｌ型固定具中央部の角
４６  Ｌ型固定具後部の角
４７  のぶボルトの挿入孔
４８  稼働ボルトの挿入孔
４９  Ｌ型支え手先端部の爪
５０  脚立
５１  梯子
【図１】
2019210788.tif 000003
【図２】
2019210788.tif 000004
【図３】
2019210788.tif 000005
【図４】
2019210788.tif 000006
【図５】
2019210788.tif 000007
【図６】
2019210788.tif 000008
【図７】
2019210788.tif 000009
【図８】
2019210788.tif 000010
【図９】
2019210788.tif 000011
【図１０】
2019210788.tif 000012
【図１１】
2019210788.tif 000013
【図１２】
2019210788.tif 000014
【図１３】
2019210788.tif 000015
【図１４】
2019210788.tif 000016
【図１５】
2019210788.tif 000017
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
脚立兼用梯子で有って、
２つ折にして脚立として使用でき、且つ、両支柱を約１８０度展開し伸ばす事により梯子と成る脚立兼用梯子に於いて、
脚立として使用するに際して接地側と成る脚部の少なくともいずれか一方の脚部にバランス調整器を設ける物であり、
支軸支柱の先端近傍部を抱合する、支柱スライド用盤の背部をＬ型固定具により締め付け固定する事で、脚立の形態と成る物であり、
梯子形態に於いて、梯子の長さは伸縮自在と成り、
支柱スライド用盤は、支え支柱と共にスライド運動する物であり、
長さ設定位置を決定して接合状態に成る支軸支柱と支え支柱の両支柱を、Ｌ型固定具により締め付け固定する事で梯子の長さは決るものであり、
支柱スライド用盤は、支え支柱に設けられた基軸を介して、支え支柱の先端部に取り付けられ、
Ｌ型固定具は、支軸支柱に設けられた基軸を介して、支軸支柱の先端から所定の位置に取り付けられたものである、
バランス調整器と支柱スライド用盤とＬ型固定具を設けた事を特徴とする、
バランス調整器付脚立兼用梯子。
【請求項２】
請求項１記載のバランス調整器付脚立兼用梯子に於いて、
梯子として使用するに際して接地側と反対側の先端近傍に少なくともＬ型支え手の先端部の爪又は滑り止めバンドのいずれか一方を設けたことを特徴とする、バランス調整器付脚立兼用梯子。
【手続補正３】
【補正対象書類名】明細書
【補正対象項目名】０００１
【補正方法】変更
【補正の内容】
【０００１】  この発明は、脚立兼用梯子で有って、２つ折にして脚立として使用でき、両支柱を約１８０度展開し伸ばす事により、伸縮自在の梯子と成る、バランス調整器付脚立兼用梯子に関する物である。
【手続補正４】
【補正対象書類名】明細書
【補正対象項目名】０００２
【補正方法】変更
【補正の内容】
【０００２】  従来、脚立兼用はしごに於いては、脚立の両支柱先端の結合部を基軸にして約１８０度に開き支柱先端に成る、両天板を合体させる事により、梯子と成る形態の物や，支柱同士を組み合わせて伸縮自在の梯子等が在り、又、４本脚をそれぞれ上下させる脚調整装置の脚立や、伸縮構造付き脚立等、形態については、昔ながらの単純で改良に乏しく、安全性や機能性に付いて、使用者に対しての配慮が欠けている物である。
【手続補正５】
【補正対象書類名】明細書
【補正対象項目名】０００３
【補正方法】変更
【補正の内容】
【０００３】  前記、脚立に於ける高所作業では、接地面が不安定で凸凹地面上の場合、脚立に横ブレが生じる物であり、水平を保ちガタつきを止める為には、板切れを噛ませる等、脚立の安定を確保するためには、非常に手間暇が係るものであり、軒下等の、狭い場所での作業は、両脚の長さが同じである為、上る足側に重心が係るため不安定状態と成る物であり、又、脚立に成る両支柱を開いて両天板を合体させて、はしご形態として使用する場合、中央部が弱く負荷がかかると撓み易く上る際に、揺れが生じ不安定状態と成る物であり、又、支柱幅は、中央部が狭く、先端部が広い形態と成っている為、木の伐採時等は、広い支柱先端が障害と成り作業が困難と成る物であり、又、支柱先端が広く重い形態と成っている為肉体的に負担がかかる物であり、又、掛かる角張った建物面や掛かる電柱面が滑り易くバランスが取り難く、不安定状態と成る物であり、又、長さ調節が出来ない為に使用場所の高さが制限される物であり、従来の脚立兼用はしごを使用しての高所作業は常に危険が伴う物であり、安全性や利便性に問題点が多く有る物である。